(57)【特許請求の範囲】
【請求項１】
液透過性の表面シートと、液不透過性の裏面シートと、それらの間に設けられた吸収体とを有したペット用吸収性物品において、
吸収体が繊維状吸収体（Ａ）と、茶葉及び／又は茶抽出物（Ｂ）と、抗菌性を有する界面活性剤（Ｃ）とを含有し、
前記吸収体において、界面活性剤（Ｃ）は、茶葉及び／又は茶抽出物（Ｂ）よりも表面シート側に配置されている、ペット用吸収性物品。
【請求項２】
前記界面活性剤（Ｃ）が、カチオン性界面活性剤である請求項１記載のペット用吸収性物品。
【請求項３】
前記茶葉が発酵茶及び／又は半発酵茶であり、前記茶抽出物が発酵茶及び／又は半発酵茶由来である請求項１又は２に記載のペット用吸収性物品。
【請求項４】
前記繊維状吸収体（Ａ）が、吸水性樹脂（Ｄ）を含有している請求項１〜３いずれか記載のペット用吸収性物品。
【請求項５】
前記吸収体が平板状に成型されている請求項１〜４いずれか記載のペット用吸収性物品。
【発明の詳細な説明】
【技術分野】
【０００１】
本発明は、ペット用吸収性物品に関する。
【背景技術】
【０００２】
近年、犬、猫等のペットは家族同然であり、人とペットとが同じ空間で生活することが多くなっている。室内で飼われるペット用の排尿処理成形物として、シートタイプのペット用吸収性物品が知られている。ペット用吸収性物品は、上から順に、液透過性の表面シート、吸収体、液不透過性の裏面シートを基本構成としており、吸収体にペットの尿を保持できるようになっている。
吸収体に保持された尿は、時間が経つと臭気を発する。これは、尿素が腐敗して発生するアンモニア臭等、尿由来の臭気が混じった臭いであり、室内でペット用吸収性物品を用いる場合、この臭気を消臭する必要がある。
従来用いられているペット用吸収性物品には、消臭のため抗菌剤を添加し、尿の腐敗を防止したものがある。しかし、尿由来の臭気はアンモニア臭のみではないため、これだけでは消臭力が弱く、室内で長期間用いるには不向きで、排泄の度に交換する必要があった。しかし近年、共働きの家庭が増え、その都度ペット用吸収性物品を交換するのは難しく、長時間設置しても臭気を感じにくいペット用吸収性物品が求められている。
【０００３】
そこで、例えば、特許文献１では表面シート側の吸収体表面に茶葉粉末を散布し、更に表面シートにカテキン成分を付着させた、消臭効果のあるペット用吸収性物品が開示されている。
また、特許文献２では、表面シートに香料成分、消臭成分、抗菌成分の少なくとも１つを付着させた、消臭効果のあるペット用吸収性物品が開示されている。
【特許文献１】特開２００６−２４６７８５号公報
【特許文献２】特開２００６−２３８７４５号公報
【発明の開示】
【発明が解決しようとする課題】
【０００４】
特許文献１で開示されているように、抗菌作用及び消臭作用を有する、茶葉及び茶抽出物（カテキン）により、ペット用吸収性物品の消臭をする場合、茶葉の香りが尿由来の臭気を防げる傾向にある。しかしながら、茶葉やカテキンの抗菌力は弱く、時間が経つと排泄物内の雑菌により尿が腐敗し、悪臭が感じられ、長期間の使用には向かないものであるという問題があった。
そこで、特許文献２に開示されるように、香料成分、カテキン等の消臭成分に他の抗菌成分を併用することで、ペット用吸収性物品に保持された尿の腐敗を防ぎながら消臭する方法もある。しかしながら、特許文献１に記載の茶葉や、茶抽出物であるカテキンをペット用吸収性物品に用いる場合、尿の浸透によりこれらの成分の色素が排出されて、尿汚れが増したような色になり、ペット用吸収性物品の見栄えが悪くなるという問題があった。更に、特許文献２に示されるペット用吸収性物品では、香料成分、消臭成分、抗菌成分が表面シート部分にしか存在せず、同じ場所に何度も排泄された場合各成分が薄まり、悪臭を抑えられず、結果的に長期間使用できないという問題があった。
【０００５】
本発明は、上記事情を鑑みてなされたもので、見た目の清潔感を維持しながらも、消臭力が高く長期間使用可能なペット用吸収性物品を目的とする。
【課題を解決するための手段】
【０００６】
本発明のペット用吸収性物品は、液透過性の表面シートと、液不透過性の裏面シートと、それらの間に設けられた吸収体とを有し、吸収体が繊維状吸収体（Ａ）と、茶葉及び／又は茶抽出物（Ｂ）と、抗菌性を有する界面活性剤（Ｃ）とを含有することを特徴とする。
【０００７】
本発明のペット用吸収性物品において、前記界面活性剤（Ｃ）が、カチオン性界面活性剤であると好ましい。
本発明のペット用吸収性物品において、前記茶葉が発酵茶及び／又は半発酵茶であり、前記茶抽出物が発酵茶及び／又は半発酵茶由来であると好ましい。
本発明のペット用吸収性物品の吸収体において、界面活性剤（Ｃ）は、茶葉及び／又は茶抽出物（Ｂ）よりも表面シート側に配置されていると好ましい。
本発明のペット用吸収性物品において、前記繊維状吸収体（Ａ）が、吸水性樹脂（Ｄ）を含有していると好ましい。
本発明のペット用吸収性物品において、前記吸収体はシート状に限らず平板状に成型されていてもよい。
【発明の効果】
【０００８】
本発明のペット用吸収性物品は、見た目の清潔感を維持し、かつ、消臭力が高いもので、長期間使用することが可能である。
【発明を実施するための最良の形態】
【０００９】
以下、本発明を詳細に説明する。
本発明のペット用吸収性物品は、液透過性の表面シートと、液不透過性の裏面シートと、それらの間に設けられた吸収体とを有し、吸収体が繊維状吸収体（Ａ）と、茶葉及び／又は茶抽出物（Ｂ）と、抗菌性を有する界面活性剤（Ｃ）とを含有することを特徴とする。
【００１０】
〔表面シート〕
表面シートは、液透過性であれば、その構造が、薄葉紙や不織布等による１層構造であっても、薄葉紙や不織布等の上に多数の液透過孔を有した樹脂フィルムを重ねた２層構造であっても良い。
不織布としては、パルプやレーヨンなどのセルロース系繊維で形成されたスパンレース不織布、前記セルロース系繊維と親水処理された合成樹脂繊維とで形成されたスパンレース不織布、親水処理された熱融着性の合成樹脂繊維で形成されたエアースルー不織布、親水処理された熱融着性の合成樹脂繊維で形成されたポイントボンド不織布、親水処理されたスパンボンド不織布等が挙げられる。更に、スパンボンド不織布にマイクロファイバーをラミネートした複合不織布で、具体的には、メルトブロー不織布、スパンボンド不織布、メルトブロー不織布の３層複合不織布等も用いることができる。
樹脂フィルムとしては、ポリエチレン、ポリプロピレン等のポリオレフィン、ポリエチレンテレフタレート等のポリエステル、ポリ塩化ビニル等のビニル系ポリマーなどの熱可塑性樹脂による白色の開孔フィルムを用いるのが好ましい。
【００１１】
表面シートはその厚みが１０〜１０００μｍであると好ましく、１５〜９００μｍであると更に好ましい。表面シートの厚さが１０μｍ以上であれば使用する際にペットが引掻く等しても破れにくい程度の、強度が保持され、１０００μｍ以下であれば容易に折り畳むことができ、さまざまな形態に梱包することが可能である。
【００１２】
〔裏面シート〕
裏面シートは、尿漏れを防止するため液不透過性である。裏面シートとしては、ポリエチレン、ポリエチレン（ＰＥ）ポリプロピレン、ポリエチレンテレフタレート等の樹脂フィルム、または撥水性あるいは疎水性の不織布で形成される。この不織布は、メルトブロー不織布またはスパンボンド不織布、あるいはメルトブロー不織布とスパンボンド不織布とが積層された積層不織布などである。
裏面シートはその厚みが１５〜３０μｍであると好ましく、２０〜２５μｍであると更に好ましい。裏面シートの厚さが１５μｍ以上であれば、使用中および廃棄する際に破れにくい程度の強度が保持され、３０μｍ以下であれば容易に折り畳むことができ、さまざまな形態に梱包することが可能である。
【００１３】
〔吸収体〕
吸収体は繊維状吸収体（Ａ）と、茶葉及び／又は茶抽出物（Ｂ）と、抗菌性を有する界面活性剤（Ｃ）とを含有することを特徴とする。
【００１４】
（繊維状吸収体（Ａ））
繊維状吸収体は、尿等の排泄物をペット用吸収性物品中に保持するために用いる。
繊維状吸収体（Ａ）としては、綿状パルプ、破木パルプ、おが屑等が挙げられる。中でも特に、尿の保持力や加工のしやすさから綿状パルプを用いると好ましい。
繊維状吸収体（Ａ）の使用量は、目付けが５０〜１５００ｇ／ｍ２であると好ましく、６０〜１３００ｇ／ｍ２であるとより好ましく、７０〜１１００ｇ／ｍ２であると更に好ましい。繊維状吸収体の使用量が、目付けで５０ｇ／ｍ２以上であれば、ペット用吸収性物品が十分な尿の保持力を得られ、１５００ｇ／ｍ２以下であれば、持ち運びに向く重さであって便利である。
【００１５】
また、繊維状吸収体（Ａ）は吸水性樹脂（Ｄ）を含有していると、尿等の排泄物の保持力が向上するので好ましい。
吸水性樹脂（Ｄ）としては、デンプン系、セルロース系、合成ポリマー系の吸水性樹脂が用いられる。特に、吸収性の観点からポリアクリル酸ナトリウム系の吸水性樹脂が好ましい。
吸水性樹脂（Ｄ）は、繊維状吸収体（Ａ）の乾燥質量１００質量部に対して、乾燥質量で１０〜６０質量部含有されていると好ましく、１５〜５５質量部含有されているとより好ましく、２０〜５０質量部含有されていると更に好ましい。吸水性樹脂（Ｄ）の含有量が１０質量部以上であれば、尿の保持力が更に向上する。含有量が６０質量部以下であれば、地合いが良い。
【００１６】
（茶葉及び／又は茶抽出物（Ｂ））
茶葉としては、未発酵茶、半発酵茶、発酵茶が挙げられる。具体的には、未発酵茶として緑茶等が挙げられ、半発酵茶としては烏龍茶等が挙げられ、発酵茶としては紅茶等が挙げられる。茶抽出物としては、ポリフェノール、フラボノイド、カテキン、リナロール、ゲラニオールが挙げられる。
中でも、半発酵茶又は発酵茶の茶葉を用いると好ましく、発酵茶を用いると特に好ましい。本発明において、半発酵茶や発酵茶を用いると、これらは独特で穏やかな芳香を放ち、優れた消臭性能を発揮した。
なお、茶葉として数回抽出したあとの茶殻を用いてもよい。更に、茶葉の大きさが５ｍｍ以下であると、吸収体の地合いが安定する。
【００１７】
茶葉は、繊維状吸収体（Ａ）の乾燥質量１００質量部に対して、乾燥質量で０．５〜６０質量部含有されていると好ましく、１．０〜４０質量部含有されているとより好ましく、１．５〜２０質量部含有されていると更に好ましい。茶葉の含有量が０．５質量部以上であれば、十分な消臭性を得られ、６０質量部以下であれば地合いが良い。
一方、茶抽出物は、繊維状吸収体（Ａ）の乾燥質量に対して、０．０００１〜３０質量部含有されていると好ましく、０．００１〜２５質量部含有されているとより好ましく、０．０１〜２０質量部含有されていると更に好ましい。茶抽出物の含有量が０．０００１質量部以上であれば、十分な消臭性を得られ、３０質量部以下であれば色素による着色を抑え見た目の清潔感を維持できる。
なお、茶葉及び茶抽出物は、それぞれ単独で用いても、混合して用いても良い。
茶葉及び茶抽出物を混合して用いる場合、その混合比（茶葉／茶抽出物）は質量比で１／１０〜５０／１であると好ましく、１／５〜４０／１であるとより好ましい。
【００１８】
（界面活性剤（Ｃ））
本発明で用いる界面活性剤（Ｃ）は抗菌性を有するものとする。ここで、抗菌性とは、排泄物に含有される雑菌を殺すことで排泄物の腐敗を防ぐ性質を示す。
抗菌性を有する界面活性剤（Ｃ）として、カチオン性界面活性剤及び両性界面活性剤が挙げられる。具体的には、カチオン性界面活性剤として、塩化ベンザルコニウム、塩化ジデシルジメチルアンモニウム、塩化ジアルキルジメチルアンモニウム、塩化アルキルトリメチルアンモニウム、塩化セチルピリジニウム等を用いることができる。両性界面活性剤としては、例えば、アルキルジメチルアミンオキサイド、ドデシルジメチルアミンオキサイド、塩酸アルキルジアミノエチルグリシン、アルキルジメチルアミノ酢酸ベタイン、アルキルカルボキシメチルヒドロキシエチルイミダゾリニウムベタイン、アルキルアミドプロピルベタイン等を用いることができる。
中でも、消臭性ならびに茶葉及び／又は茶抽出物（Ｂ）由来の着色を防ぐ、着色防止性の観点から、カチオン界面活性剤を用いることが好ましく、特に、消臭性及び着色防止性の効果の観点から塩化ベンザルコニウムを用いると好ましい。
【００１９】
界面活性剤（Ｃ）は、繊維状吸収体（Ａ）の乾燥質量１００質量部に対して、０．０５〜７質量部含有されていると好ましく、０．０８〜６質量部含有されているとより好ましく、０．１〜５質量部含有されていると更に好ましい。界面活性剤（Ｃ）の含有量が、０．０５質量部以上であれば、十分な消臭性及び着色防止性を得ることができ、７質量部以下であれば、ペット用吸収性物品の吸水性に影響を与えない。
【００２０】
（吸収体）
本発明のペット用吸収性物品における吸収体は、以上の繊維状吸収体（Ａ）と、茶葉及び／又は茶抽出物（Ｂ）と、抗菌性を有する界面活性剤（Ｃ）とを含有する。
このとき、吸収体は、繊維状吸収体（Ａ）、茶葉及び／又は茶抽出物（Ｂ）及び界面活性剤（Ｃ）の３成分を混合して吸収体を形成したものであっても、それぞれを単独で用い積層させて形成したものであってもよい。
また、吸収体を形成する際、界面活性剤（Ｃ）を、茶葉及び／又は茶抽出物（Ｂ）よりも表面シート側に配置すると好ましい。界面活性剤（Ｃ）が茶葉及び／又は茶抽出物（Ｂ）より表面シート側に配置されていると、茶葉及び／又は茶抽出物（Ｂ）由来の色素成分の排出をより顕著に抑えられる傾向にあった。
更に、本発明の吸収体は、吸収体を形成するこれらの成分を、薄葉紙等を使用して包み、固定したものであってもよい。
吸収体はその厚みが１．０〜１０．０ｍｍであると好ましく、１．５〜１０．０ｍｍであると更に好ましい。吸収体の厚さが１．０ｍｍ以上であれば使用時の保形成を確保でき、１０．０ｍｍ以下であれば容易に折り畳むことができ、さまざまな形態に梱包することが可能である。
【００２１】
本発明のペット用吸収性物品における吸収体は、シート状に限らず平板状に成型されていてもよい。
繊維状吸収体（Ａ）を含有する吸収体を平板状に成型する方法としては、乾式方法、湿式方法の何れの製造方法を選択してもよい。
【００２２】
乾式方法としては、例えば、まず、吸収体の原料である、繊維状吸収体（Ａ）に、茶葉及び／又は茶抽出物（Ｂ）、界面活性剤（Ｃ）及び繊維間結合剤であるバインダー等を混合して混合物を得る。次に、混合物を所定形状の型枠に入れて嵩密度０．０５〜０．３ｇ／ｃｍ３、厚み３〜２０ｍｍであるシート状物とする。次に、このシート状物に熱プレス処理を施して予備的に脱水させた後、乾燥器等でシート状物を所望の含水率になるまで乾燥させて平板状の吸収体を得る。
このとき、熱プレス処理の条件は、嵩密度を前記範囲内とし、厚みを前記値以内とする観点から、プレス圧力が好ましくは４〜２４００ｋＰａ、更に好ましくは１０〜１０００ｋＰａであり、プレス温度が好ましくは６０〜１２０℃、更に好ましくは２０〜１０５℃であり、プレス時間が０．５〜２０分、更に好ましくは３〜５分である。
【００２３】
一方、湿式方法としては、例えば、一般の紙の製造で行われている長網式抄紙法や円網式抄紙法等が採用でき、公知の抄紙機が使用できる。湿式方法では、繊維間結合剤として、架橋剤（紙力増強剤）が好適に用いられる。本発明における平板状の吸収体は、特に、畳の芯材や壁材等として用いられるインシュレーションボードの製造方法と同様の方法で成型すると好ましい。
【００２４】
乾式方法の繊維間結合剤として用いられたバインダー、及び湿式方法の繊維間結合剤として用いられた架橋剤は、繊維状吸収体（Ａ）、茶葉及び／又は茶抽出物（Ｂ）、界面活性剤（Ｃ）等の結合剤として使用されている。
吸収体に、これら繊維間結合剤を含有させることにより、ペット用吸収性物品に実用上必要とされる湿潤強度を付与することができ、取扱性及び廃棄性に優れ、長期間使用できるペット用吸収性物品を得ることができる。
【００２５】
前記バインダーとしては、例えば、ポリビニルアルコール、化工澱粉、寒天、カルボキシメチルセルロース、ポリアクリルアミド等が挙げられ、これらの１種又は２種以上を用いることができる。特に、吸水性の観点から、ポリビニルアルコール及び／又は化工澱粉を用いることが好ましい。
更に、ポリビニルアルコール及び化工澱粉は、何れも糊化温度が６０℃以上であると好ましく、７０〜８０℃であると特に好ましい。これらバインダーの糊化温度が６０℃以上であれば、室温下、湿潤状態にある使用後のペット用吸収性物品中でバインダーが溶け出すことがなく、ペット用吸収性物品の湿潤強度が一定に保たれ、形状が崩れることがないので、取扱い及び廃棄が容易である。
吸収体は、バインダーを１〜４５質量％含有していると好ましく、５〜４５質量％含有していると更に好ましく、７〜２０質量％含有していると特に好ましい。バインダーの含有量が１質量％以上であれば、十分な湿潤強度を得ることができ、４５質量％以下であれば取り扱い及び廃棄が容易である。
【００２６】
前記架橋剤は、水素結合により繊維間を架橋するものをいう。
架橋剤としては、湿式抄紙法において一般に紙力増強剤として使用されるものを使用でき、例えば、ポリアミドアミン・エピクロルヒドリン樹脂、ポリアクリルアミド、ポリエチレン、メチロール化ポリアクリルアミド等が挙げられ、これらを１種以上用いることができる。架橋剤は、単独でも使用でき、また、媒体として水を併用して用いてもよい。
吸収体は、架橋剤を０．０１〜３質量％含有していると好ましく、０．３〜１質量％含有していると更に好ましい。架橋剤の含有量が０．０１質量％以上であれば、十分な湿潤強度を得ることができ、３質量％以下であれば取り扱い及び廃棄が容易である。
【００２７】
また、湿式方法においては、繊維間結合剤として水のみを使用することもできる。繊維間結合剤に水を使用する場合、吸収体の含水量が、１〜２０質量％であると好ましく、５〜２０質量％であると更に好ましい。
【００２８】
〔ペット用吸収性物品〕
本発明のペット用吸収性物品の一例を図１に示す。
図１に示されるように、本発明のペット用吸収性物品１０は、液透過性の表面シート１１と、液不透過性の裏面シート１３と、それらの間に設けられた吸収体１２とを有する。
更に、吸収体１２は、繊維状吸収体（Ａ）１４と、茶葉及び／又は茶抽出物（Ｂ）１５と、抗菌性を有する界面活性剤（Ｃ）１６とを含有するものである。
【００２９】
本発明のペット用吸収性物品を得るには、例えば、まず、繊維状吸収体（Ａ）と、茶葉及び／又は茶抽出物（Ｂ）と、抗菌性を有する界面活性剤（Ｃ）との３成分を混合した混合物、又は積層させた積層体を薄葉紙等で包み固定して吸収体１２を形成する。
次に、裏面シート１３に得られた吸収体１２をのせて、裏面シート１３の縁を折り返し、その上に表面シート１１をのせて、糊、ホットメルト系の接着剤、熱融着等を用いて、その周囲を接着し、ペット用吸収性物品を形成する。
なお、本発明のペット用吸収性物品を得るにあたり、界面活性剤（Ｃ）と茶葉及び／又は茶抽出物（Ｂ）との吸収体中での位置関係を考慮すると好ましい。具体的には、界面活性剤（Ｃ）と茶葉及び／又は茶抽出物（Ｂ）とが接するように配置することが好ましく、界面活性剤（Ｃ）を茶葉及び／又は茶抽出物（Ｂ）よりも表面シート側に配置するとより好ましい。このように配置することで、界面活性剤による着色防止効果をより効果的に得ることができる。
【００３０】
本発明の、ペット用吸収性物品によれば、その吸収体が、繊維状吸収体（Ａ）と、茶葉及び／又は茶抽出物（Ｂ）と、抗菌性を有する界面活性剤（Ｃ）とを含有しているものであるので、排泄物中の雑菌等を殺して腐敗を防ぎながら、アンモニア臭等の尿由来の臭気を消臭することが可能であるので、消臭力を長期間維持したペット用吸収性物品を得ることができる。更に、界面活性剤（Ｃ）は茶葉及び／又は茶抽出物（Ｂ）による色素成分を抑える着色防止性を有しており、見た目の清潔感を維持することができる。
更に、茶葉及び／又は茶抽出物（Ｂ）と界面活性剤（Ｃ）とが吸収体に含有されているので、同じ場所に何度も排尿されても成分が浸透していくため、消臭力が持続する効果が得られる、また表面シートの材質および形状が制限されることもない。
【実施例】
【００３１】
以下、本発明を実施例により具体的に説明するが、本発明はこれらに限定されるものではない。
また、各実施例及び比較例における諸物性の測定、及び評価は次の方法による。
【００３２】
〔消臭性〕
実施例及び比較例で得られた各試料に、尿４ｍＬを添加した後、２Ｌのガラス瓶中に設置する。ガラス瓶を密閉し、２日後の臭気について官能判定し、以下の評価を行った。
＜評価基準＞
５点：強烈なにおい
４点：強いにおい
３点：楽に感知できるにおい
２点：何のにおいであるかがわかる弱いにおい
１点：やっと感知できるにおい
０点：無臭
＜判定基準＞：○以上が合格範囲
◎◎：５人の平均点が１点未満
◎  ：５人の平均点が１点以上１．５点未満
○  ：５人の平均点が１．５点以上２点未満
△  ：５人の平均点が２点以上３点未満
×  ：５人の平均点が３点以上
【００３３】
〔着色防止性〕
実施例及び比較例で得られた各試料に、モデル尿（１％食塩水、２５℃）２ｍＬを添加した後、繊維状吸収体（Ａ）の表面の着色防止性を目視判定し、以下の評価を行った。
＜評価基準＞
５点：非常に目立つ 
４点：かなり目立つ
３点：やや目立つ
２点：ほとんど目立たない
１点：全く目立たない
＜判定基準＞○以上が合格範囲
◎：５人の平均点が２点以下
○：５人の平均点が３点以下
△：５人の平均点が４点以下
×：５人の平均点が４点より大きい
【００３４】
下記の実施例、及び比較例において、以下の成分を用いた。
＜繊維状吸収体（Ａ）＞
「Ａ−１」：綿状パルプ（ＮＢＫＰ、針葉樹）
「Ａ−２」：ストーン砕木パルプ（ＮＢＫＰ、針葉樹）
＜茶葉及び／又は茶抽出物（Ｂ）＞
「Ｂ−１」：紅茶葉（発酵茶／渋みの少ない紅茶（マイルドブレンド）、三井農林製）
「Ｂ−２」：緑茶葉（未発酵茶／製茶職人、日本茶園製）
「Ｂ−３」：茶抽出物（テアフラン３０Ａ、伊藤園製）
＜界面活性剤（Ｃ）＞
「Ｃ−１」：塩化ベンザルコニウム（カチオン性界面活性剤／アーカードＣＢ−５０、ライオンアクゾ製）
「Ｃ−２」：塩化ジデシルジメチルアンモニウム（カチオン性界面活性剤／アーカード２１０−５０、ライオンアクゾ製）
「Ｃ−３」：ｎ−ドデシルジメチルアミンオキサイド（両性界面活性剤／アロモックスＤＭ１２Ｄ−Ｗ（Ｃ）、ライオンアクゾ製）
「Ｃ−４」:ソルビン酸カリウム（純正化学製）（比較品／抗菌性ではあるが界面活性剤ではない）
「Ｃ−５」：モノステアリン酸ポリオキシエチレン（２０）ソルビタン（ＮＩＫＫＯＬ  ＴＳ−１０Ｖ、日光ケミカルズ社製）（比較品／界面活性剤ではあるが抗菌性がない）
＜吸水性樹脂（Ｄ）＞
「Ｄ」:タピオカ澱粉（Ｚ−１００、日澱化学社製）
【００３５】
〔実施例１〜９〕
表１に示す各成分の所定量に従って以下の方法で各試料を作成し、各評価をおこなった。結果を表１に示した。
５０ｍＬ薬盃（直径３．４ｃｍ）に茶葉及び／又は茶抽出物（Ｂ）を所定量入れた。次に、界面活性剤（Ｃ）を含浸し、乾燥させた薄葉紙を円形（直径３．４ｃｍ）に裁断し、茶葉及び／又は茶抽出物（Ｂ）の上にのせた。更に、薄葉紙の上に所定量の繊維状吸収体（Ａ）（直径３．４ｃｍ）をのせて試料とした。
【００３６】
〔実施例１０〕
表１に示す各成分の所定量に従って以下の方法で試料を作成し、各評価をおこなった。結果を表１に示した。
５０ｍＬ薬盃（直径３．４ｃｍ）に茶葉及び／又は茶抽出物（Ｂ）を所定量入れた。次に、界面活性剤（Ｃ）を含浸し、乾燥させた薄葉紙を円形（直径３．４ｃｍ）に裁断し、茶葉及び／又は茶抽出物（Ｂ）の上にのせた。
ストーン砕木パルプ（Ａ−２）及びタピオカ澱粉（Ｄ）を混合して得た混合物を、面積６×６ｃｍ、厚さ５ｃｍの型枠に流し込み、更に脱水してシート状物を得た。このシート状物を、加熱された油圧プレス機を用いて、温度１２０℃、圧力２×１０５Ｐａの条件で１５分プレスした。その後、プレスしたシート状物を、乾燥機を用いて１０５℃で３時間乾燥させて、直径３．４ｃｍ、厚さ１ｃｍに裁断し、平板状の繊維状吸収体（Ａ）を得た。
この平板状の繊維状吸収体（Ａ）を茶葉及び／又は茶抽出物（Ｂ）の上にのせて試料を形成し、各評価をおこなった。
【００３７】
【表１】
0005271579.tif 000002
【００３８】
表１に示されるように、実施例１〜１０に示されている試料は、繊維状吸収体（Ａ）、茶葉及び／又は茶抽出物（Ｂ）及び抗菌性を有する界面活性剤（Ｃ）を含有しているので、経時的に消臭性が持続し、かつ、着色防止性を得ることが可能となった。
特に、界面活性剤として、カチオン性界面活性剤を適量用いた場合、より良い着色防止性が得られた。更に、界面活性剤として塩化ベンザルコニウム（Ｃ−１）を用い、茶葉及び／又は茶抽出物（Ｂ）として紅茶葉（Ｂ−１）を用いると、より良い消臭性を得ることができた。
また、平板状の繊維状吸収体（Ａ）を用いた実施例１０は、各評価をおこなっても形状が変わらず、使用しやすいものであった。
【００３９】
〔比較例１〜４〕
表２に示す各成分の所定量に従って、実施例１〜９と同様の方法で各試料を作成し、各評価を行った。結果を表２に示した。
【００４０】
〔比較例５〕
表２に示す各成分の所定量に従って、実施例１０と同様の方法で試料を作成し、各評価を行った。結果を表２に示した。
【００４１】
【表２】
0005271579.tif 000003
【００４２】
表２に示されるように、比較例１及び比較例５では、抗菌性を有する界面活性剤（Ｃ）を用いていないので着色防止性が得られず、更に消臭性が実施例１と比較して劣るものであった。比較例２では、茶葉及び／又は茶抽出物（Ｂ）を用いていないので、着色はされなかったが、実施例１と比較して消臭性が劣るものとなった。比較例３では、界面活性剤（Ｃ）として、抗菌性はあるが界面活性剤ではないソルビン酸カリウムを用いており、着色防止性が得られず、更に消臭性が実施例１と比較して劣るものであった。比較例４では、界面活性剤（Ｃ）として、抗菌性のない界面活性剤、モノステアリン酸ポリオキシエチレン（２０）ソルビタンを用いており、着色防止性が得られず、更に消臭性が実施例１と比較して劣るものであった。
【００４３】
〔実施例１１〕
５０ｍＬ薬盃（直径３．４ｃｍ）に塩化ベンザルコニウム（Ｃ−１）を含浸し、乾燥させた薄葉紙を円形（直径３．４ｃｍ）に裁断したものをのせた。このとき、薄葉紙が含有している塩化ベンザルコニウム（Ｃ−１）の量は２質量部とする。
次に、この薄葉紙の上に紅茶葉（Ｂ−１）を３質量部のせた。
更に、紅茶葉（Ｂ−１）の上に綿状パルプ（Ａ−１）を１００質量部（直径３．４ｃｍ）のせて試料とし、各評価を行った。結果を表３に示した。
【００４４】
〔実施例１２〕
５０ｍＬ薬盃（直径３．４ｃｍ）に紅茶葉（Ｂ−１）を３質量部入れた。次に、紅茶葉（Ｂ−１）の上に、綿状パルプ（Ａ−１）５０質量部（直径３．４ｃｍ）をのせた。更に、塩化ベンザルコニウム（Ｃ−１）を含浸し、乾燥させた薄葉紙を円形（直径３．４ｃｍ）に裁断し、綿状パルプ（Ａ−１）の上にのせた。ここで、薄葉紙が含有している塩化ベンザルコニウム（Ｃ−１）の量は２質量部とする。最後に、薄葉紙の上に綿状パルプ（Ａ−１）５０質量部（直径３．４ｃｍ）をのせて試料とし、各評価を行った。結果を表３に示した。
【００４５】
〔実施例１３〕
５０ｍＬ薬盃（直径３．４ｃｍ）に、塩化ベンザルコニウム（Ｃ−１）、綿状パルプ（Ａ−１）５０質量部、紅茶葉（Ｂ−１）、綿状パルプ（Ａ−１）５０質量部の順に積層させた以外は、実施例１２と同様にして試料を作成し、各評価を行った。結果を表３に示した。
【００４６】
【表３】
0005271579.tif 000004
【００４７】
表３で示されるように、実施例１及び１１〜１３は、繊維状吸収体（Ａ）、茶葉及び／又は茶抽出物（Ｂ）及び抗菌性を有する界面活性剤（Ｃ）を含有しているので、経時的に消臭性が持続した。
中でも、実施例１及び１２は、抗菌性を有する界面活性剤（Ｃ）が、茶葉及び／又は茶抽出物（Ｂ）の上に配置されている。従って、先に尿に界面活性剤（Ｃ）が含まれ、尿による茶葉及び／又は茶抽出物（Ｂ）の色素成分の排出が抑えられ、良好な着色防止性を得ることが可能となった。
一方、茶葉及び／又は茶抽出物（Ｂ）が抗菌性を有する界面活性剤（Ｃ）の上に配置され、かつ茶葉及び／又は茶抽出物（Ｂ）と抗菌性を有する界面活性剤（Ｃ）とが接している実施例１１では、着色防止性がある程度認められた。
また、茶葉及び／又は茶抽出物（Ｂ）が、抗菌性を有する界面活性剤（Ｃ）の上に配置されており、かつ茶葉及び／又は茶抽出物（Ｂ）と、抗菌性を有する界面活性剤（Ｃ）とが接していない実施例１３では、着色防止性は認められにくい傾向にあった。しかしながら、抗菌性を有する界面活性剤（Ｃ）と、茶葉及び／又は茶抽出物（Ｂ）とを併用することで、茶葉及び／又は茶抽出物（Ｂ）のみを使用した比較例１と比較すると消臭性が飛躍的に向上する効果が得られた。
以上、実施例１及び１１〜１３より、着色防止性を得るには、茶葉及び／又は茶抽出物（Ｂ）と界面活性剤（Ｃ）とが接していると好ましく、界面活性剤（Ｃ）が、茶葉及び／又は茶抽出物（Ｂ）の上に配置されているとより効果的であることがわかった。
【００４８】
〔実験例〕
実使用に近い評価として、製品形態による消臭効果の持続性及び着色防止性の評価を行った。
（評価サンプル１）
＜サンプル１の作成＞
図２に示されるように、下から、低密度ポリエチレン（ＬＤＰＥ）フィルム２１（厚さ２０μｍ）：３ｇ、薄葉紙２２（坪量１５ｇ／ｍ２）：２ｇ、綿状パルプ（ＮＢＫＰ）２３：２０ｇ、紅茶葉２４（渋みの少ない紅茶（マイルドブレンド）、三井農林社製）：１ｇ、塩化ベンザルコニウム（Ｃ−１）２６を０．５ｇ含浸させた２ｇの薄葉紙２５（坪量１５ｇ/ｍ２）、綿状パルプ（ＮＢＫＰ）２７：１５ｇ、薄葉紙２８：２ｇ、不織布２９（ＰＰポイントボンド、坪量１８ｇ／ｍ２）：３ｇの順に積層したサンプル１（３０×４０ｃｍ）を作成した。
＜評価方法＞
５畳の密閉空間にサンプル１を置き、尿４００ｍＬを注入し、その２日後の消臭性と着色防止性を、前記実施例及び比較例と同じ方法で評価した。
＜性能評価＞
サンプル１を評価した結果、消臭性は◎◎、着色防止性も◎と優れていた。
【００４９】
（評価サンプル２）
＜サンプル２の作成＞
下から、低密度ポリエチレン（ＬＤＰＥ）フィルム（厚さ２０μｍ）：３ｇ、薄葉紙（坪量１５ｇ／ｍ２）：２ｇ、綿状パルプ（ＮＢＫＰ）２０ｇと吸水性樹脂（アクリル酸重合体部分ナトリウム塩架橋物、吸水量；６６ｇ／ｇ、平均粒径；３６８μｍ）５ｇの混合物、紅茶葉（渋みの少ない紅茶（マイルドブレンド）、三井農林社製）：１ｇ、塩化ベンザルコニウム（Ｃ−１）を０．５ｇ含浸させた２ｇの薄葉紙（坪量１５ｇ／ｍ２）、綿状パルプ（ＮＢＫＰ）１５ｇと吸水性樹脂（アクリル酸重合体部分ナトリウム塩架橋物、吸水量；５７ｇ／ｇ、平均粒径；３６９μｍ）６ｇとの混合物、薄葉紙（グリーン、坪量１５ｇ／ｍ２）：２ｇ、不織布（ＰＰポイントボンド、坪量１８ｇ／ｍ２）：３ｇの順に積層したサンプル２（３０×４０ｃｍ）を作成した。
＜評価方法＞
サンプル１と同様の方法で評価を行った。
＜性能評価＞
サンプル２を評価した結果、消臭効果の持続性は◎◎、着色防止性も◎と優れていた。
【図面の簡単な説明】
【００５０】
【図１】本発明のペット用吸収性物品の一例の断面図である。
【図２】本発明のペット用吸収性物品の一例の一部を拡大した断面図である。
【符号の説明】
【００５１】
１０、２０：ペット用吸収性物品
１１：表面シート、１２：吸収体、１３：裏面シート、１４：繊維状吸収体（Ａ）、１５：茶葉及び／又は茶抽出物（Ｂ）、１６：界面活性剤（Ｃ）
【図１】
0005271579.tif 000005
【図２】
0005271579.tif 000006